(57)【要約】【課題】ダイヤルスイッチにおいて、スイッチ操作の確認をクリック感及びクリック音等の多様な操作感覚で行うことができるスイッチ構造を提供することにある。【解決手段】複数個の凹部１６ａと複数個の凸部１６ｂが外周の周方向の全周に亘って交互に連続して波状に形成されてなるディテント１６をローター１０の筒状部１５に設け、スプリング４０に摺接突出部４１と、摺接突出部４１の根元部から互いに反対方向に延びる延長部４２と、延長部４２の端部を折り曲げた折曲部４３とを設け、スプリング４０の延長部４２の幅方向の両側端部４２ａ、４２ｂをホルダー２０で支持した状態で摺接突出部４１をディテント１６に当接させると共に折曲部４３をホルダー２０の外側面に面接触させた。【選択図】図６
2019186124.tif 000002
【特許請求の範囲】
【請求項１】
複数個の凹部と複数個の凸部が外周の周方向の全周に亘って交互に連続して波状に形成されてなるディテントが設けられた回動可能な筒状部を有するローターと、
前記ローターの前記ディテントに当接するスプリングと、
前記スプリングを支持するホルダーと、を備え、
前記スプリングは、中央部に位置する湾曲突出部と、前記湾曲突出部の根元部から互いに反対方向に延びる延長部と、前記延長部の端部に位置する折曲部とを有すると共に、前記湾曲突出部が前記ディテントに当接し、前記延長部が幅方向の両側端部を前記ホルダーに支持され、前記折曲部が前記ホルダーの外側面に接触していることを特徴とするダイヤルスイッチのスイッチ構造。
【請求項２】
前記ホルダーの、前記スプリングの折曲部が接触する部分は、細幅部を経て宙に浮いた状態にあることを特徴とする請求項１に記載のダイヤルスイッチのスイッチ構造。
【請求項３】
前記スプリングの湾曲突出部と前記ディテントの凹部が略同一形状寸法を有することを特徴とする請求項１又は２のいずれかに記載のダイヤルスイッチのスイッチ構造。
【発明の詳細な説明】
【技術分野】
【０００１】
本発明は、ダイヤルスイッチのスイッチ構造に関するものであり、詳しくは、操作ノブの回動によりスイッチ操作を行うダイヤルスイッチの構造に関する。
【背景技術】
【０００２】
従来、この種のスイッチ構造としては、例えば、回転操作装置として開示されたものがある（特許文献１参照）。
【０００３】
それは、車両のインストルメントパネルのセンターパネルにオーディオ機器等の操作部を構成する回転操作装置が取り付けられ、回転操作装置を構成するベースプレートに回転一体に組み付けられた操作ノブと円形回転体とを回転することにより回転位置がオーディオ機器等のスイッチ機構等に伝達されるものである。
【先行技術文献】
【特許文献】
【０００４】
【特許文献１】特開２００９−８７５５６号公報
【発明の概要】
【発明が解決しようとする課題】
【０００５】
ところで、上記円形回転体の円環状部の外周には複数個の凹部と複数個の凸部が全周に亘って交互に連続して形成され、円形回転体の円環状部の外周の近傍には、中央部に前記外周側に凸の湾曲形状の突状部を有すると共に両端部に湾曲部が形成された取付部を有する板状スプリングが一対の支持部によって係合支持されている。
【０００６】
そして、円形回転体を回転させて板状スプリングの突状部が円形回転体の凸部を乗り越えて隣接する凹部に係合することにより、円形回転体の所定の回転角度毎に操作者にクリック感を与えるようになっている。この場合、板状スプリングの両端部の湾曲部が両支持部に常時接触するように保持されているため、異雑音の発生が防止されている。
【０００７】
上記構成の回転操作装置は、円形回転体の回転操作を板状スプリングにより得られるクリック感のみで確認するものである。
【０００８】
そこで、本発明は上記問題に鑑みて創案なされたものであり、その目的とするところは、操作ノブの回動によりスイッチ操作を行うスイッチにおいて、スイッチ操作の確認をクリック感及びクリック音等の多様な操作感覚で行うことができるスイッチ構造を提供することにある。
【課題を解決するための手段】
【０００９】
上記課題を解決するために、本発明の請求項１に記載された発明は、複数個の凹部と複数個の凸部が外周の周方向の全周に亘って交互に連続して波状に形成されてなるディテントが設けられた回動可能な筒状部を有するローターと、前記ローターの前記ディテントに当接するスプリングと、前記スプリングを支持するホルダーと、を備え、前記スプリングは、中央部に位置する湾曲突出部と、前記湾曲突出部の根元部から互いに反対方向に延びる延長部と、前記延長部の端部に位置する折曲部とを有すると共に、前記湾曲突出部が前記ディテントに当接し、前記延長部が幅方向の両側端部を前記ホルダーに支持され、前記折曲部が前記ホルダーの外側面に接触していることを特徴とするものである。
【００１０】
また、本発明の請求項２に記載された発明は、請求項１において、前記ホルダーの、前記スプリングの折曲部が接触する部分は、細幅部を経て宙に浮いた状態にあることを特徴とするものである。
【００１１】
また、本発明の請求項３に記載された発明は、請求項１又は２のいずれかにおいて、前記スプリングの湾曲突出部と前記ディテントの凹部が略同一形状寸法を有することを特徴とするものである。
【発明の効果】
【００１２】
本発明によれば、複数個の凹部と複数個の凸部が外周の周方向の全周に亘って交互に連続して波状に形成されてなるディテントをローターの筒状部に設け、スプリングに摺接突出部と、摺接突出部の根元部から互いに反対方向に延びる延長部と、延長部の端部を折り曲げた折曲部とを設け、スプリングの延長部の幅方向の両側端部をホルダーで支持した状態で摺接突出部をディテントに当接させると共に折曲部をホルダーの外側面に接触させた。
【００１３】
これにより、ダイヤルスイッチの回動操作の確認をクリック感及びクリック音等の多様な操作感覚で行うことができるスイッチ構造を実現できた。
【図面の簡単な説明】
【００１４】
【図１】エアコンパネルに取り付ける本発明のスイッチ構造を備えたダイヤルスイッチの分解斜視図である。
【図２】本発明のスイッチ構造を備えたダイヤルスイッチを取り付けたエアコンパネルの平面図である。
【図３】ダイヤルスイッチを構成するローターの斜視説明図である。
【図４】ダイヤルスイッチを構成するホルダーの斜視説明図である。
【図５】ダイヤルスイッチを構成するスプリングの斜視説明図である。
【図６】ダイヤルスイッチの組み付け図である。
【図７】ダイヤルスイッチの動作を示す説明図である。
【図８】同じく、ダイヤルスイッチの動作を示す説明図である。
【図９】同じく、ダイヤルスイッチの動作を示す説明図である。
【図１０】同じく、ダイヤルスイッチの動作を示す説明図である。
【発明を実施するための形態】
【００１５】
以下、この発明の好適な実施形態を図１〜図１０を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１６】
図１は、車両用エアコンの操作パネル（以下、「エアコンパネル」と略称する）に取り付ける本発明のスイッチ構造を備えたダイヤルスイッチの分解斜視図、図２は、エアコンパネルにダイヤルスイッチを取り付けた状態を示す平面図である。
【００１７】
尚、図１及び図２においては以下の説明と対比し易いように、エアコンパネル１は、前面に配置するフロントパネルを取り外した状態を示し、ダイヤルスイッチ２の構成は、ダイヤルスイッチ２に一体的に取り付けて該ダイヤルスイッチ２を回動操作するダイヤルノブを省略している。
【００１８】
ダイヤルスイッチ２は、スイッチ機構を直接に回動制御するローター１０と、ローター１０の回動に対して回り止めを図るスプリング４０と、スプリング４０を支持するホルダー２０を備えている。
【００１９】
ローター１０は図３に示すように、円環状のフランジ部１１とフランジ部１１の周縁部から周方向に沿って所定の間隔で下方に延びる延設部１２とを有する基台部１３と、基台部１３のフランジ部１１から延設部１２と反対方向（上方）に延びる円筒状の筒状部１５を備えている。
【００２０】
筒状部１５の外周には、複数個の凹部１６ａと複数個の凸部１６ｂが周方向の全周に亘って環状に交互に連続して波状に形成されてなるディテント１６が設けられている。
【００２１】
ホルダー２０は図４に示すように、所定幅の湾曲形状の断面を該断面に垂直な方向に延長した形状の本体部２１と、本体部２１の内壁面から本体部２１の前記延長方向と垂直な方向（前記断面方向）に延びる平板状の延板部３１を備えている。
【００２２】
本体部２１は、周方向湾曲両端の上部に、スプリング４０を支持する一対の支持突起部２２が設けられ、夫々の支持突起部２２にはスプリング４０を下方から係止支持する切欠部２３が形成されている。
【００２３】
また、本体部２１には、周方向湾曲中央部を挟んだ両側に下方から上方に向かう一対の肉抜き部２４を有すると共に、肉抜き部２４の両側には下方に向かって延びるフリー脚部２５を有している。
【００２４】
延板部３１は、下面の中央部から下方に延びる一対の係止脚部３２を有し、係止脚部３２の先端部には、ホルダー２０をエアコンパネルのケース３に取り付ける際にホルダー２０を係止するために用いる係止爪（フック）３３が設けられている。
【００２５】
また、延板部３１には、先端部の両縁部に該両縁部の夫々から立ち上がって上方に延びる一対の上延部３４を有し、上延部３４の先端部には本体部２１に設けられた支持突起部２２に対向する位置に、スプリング４０を上方から押圧支持する支持突起部３５が設けられている。
【００２６】
スプリング４０は図５に示すように、板状のスプリング部材で形成され、中央部に略Ｖ字形状に折曲突出された摺接突出部４１と、摺接突出部４１の根元部の夫々から互いに反対方向に延びる一対の延長部４２と、夫々の延長部４２の両端部で摺接突出部４１の突出方向と略反対方向に折り曲げられた一対の折曲部４３を有している。
【００２７】
次に、ダイヤルスイッチ２を構成する上記ローター１０、ホルダー２０及びスプリング４０の組み付け状態について図６を用いて説明する。
【００２８】
ローター１０が、エアコンパネルのケース３に回動可能に設けられた円筒状のローターガイド４（図１参照）に一体的に挿嵌されている。
【００２９】
ローター１０の近傍には、予め、ホルダー２０を取り付けるための台座部５０がエアコンパネルのケース３に配置されており、ホルダー２０が、台座部５０とエアコンパネルのケース３に係合されたホルダー２０の係止脚部の係止爪(いずれも図示せず)とによってエアコンパネルのケース３の所定の位置に台座部５０を台座にして取り付け固定されている。
【００３０】
ホルダー２０には、スプリング４０が支持取付けられており、該スプリング４０は摺接突出部４１をローター１０の筒状部１５の外周に円環状に形成された波状のディテント１６に当接させた状態で、一対の延長部４２の夫々の幅方向の下側端部４２ａが、ホルダー２０の本体部２１の一対の支持突起部２２の夫々に形成された切欠部２３によって下方から係止支持されると共に、一対の延長部４２の夫々の幅方向の上側端部４２ｂが、ホルダー２０の延板部３１から上方に延びる一対の上延部３４の夫々に設けられた支持突起部３５によって上方から押圧支持されている。
【００３１】
同時に、スプリング４０の一対の延長部４２の夫々の端部に位置する一対の折曲部４３の夫々は、ホルダー４０の本体部２１の側方に回り込んで本体部２１のフリー脚部２５の外側面と接触した状態に保持されている。
【００３２】
次に、ローター１０（ローター１０の筒状部１５）に一体的に取り付けたダイヤルノブ（図示せず）を回動操作したときのダイヤルスイッチ２の動作について説明する。
【００３３】
まず、ホルダー２０に支持取付けられたスプリング４０の摺接突出部４１が、図７にあるようにローター１０の筒状部１５の外周に円環状に形成された波状のディテント１６の凹部１６ａの位置にある状態をスタートとし、ローター１０の筒状部１５に一体的に取り付けられたダイヤルノブを回動操作すると、筒状部１５の回動に伴ってスプリング４０の摺接突出部４１の先端部４１ａが、図８にあるようにディテント１６の前記凹部１６ａに繋がる上昇斜面を辿って隣接する凸部１６ｂの頂部１６ｄに当接する。
【００３４】
このとき、スプリング４０は図９に実線で示すように、ディテント１６の凹部１６ａの位置にあった摺接突出部４１が、図９に破線で示すように、ディテント１６の凸部１６ｂによって摺接突出部４１がホルダー２０側に押し戻されて一対の延長部４２が撓んで変形する。
【００３５】
更に、ダイヤルノブを回動操作すると、ローター１０の筒状部１５の回動に伴ってスプリング４０の摺接突出部４１が、図１０にあるようにディテント１６の前記凸部１６ｂに繋がる下降斜面を辿って隣接する凹部１６ａに当接（嵌合）してその状態が保持される。
【００３６】
そして、上記ダイヤルノブの回動操作を連続することにより、上述のダイヤルスイッチ２の動作が繰り返されると共に、ローター１０の筒状部１５に設けられたディテント１６の凹部１６ａの位置にスプリング４０の摺接突出部４１が位置（嵌合）する毎に該摺接突出部４１によってローター１０の回り止めが図られてダイヤルスイッチ２の設定状態が保持される。
【００３７】
ところで、ローター１０の筒状部１５の回動によってスプリング４０の摺接突起部４１がディテント１６の凸部１６ｂから隣接する凹部１６ａに移る場合、スプリング４０の摺接突起部４１の先端部４１ａがディテント１６の凸部１６ｂの頂部１６ｄから隣接する凹部１６ａ側に移動する（ずれる）と、スプリング４０の摺接突起部４１の先端部４１ａがディテント１６の凸部１６ｂの頂部１６ｄに位置したときの弾性変形に対する復元力によって、スプリング４０の摺接突起部４１の先端部４１ａがディテント１０の下降斜面を一挙に下って凹部１６ａの底部１６ｃに当接する（図９参照）。
【００３８】
換言すると、スプリング４０の摺接突起部４１が弾性変形による復元力によってディテント１６の凹部１６ａを打撃するものである。そのためスプリング４０の摺接突起部４１の表面とディテント１６の凹部１６ａの内面との間で打撃音が生じることになる。同時に、このときの打撃により、スプリング４０に振動が発生することになる。
【００３９】
ところで、ホルダー２０の本体部２１は、周方向湾曲中央部を挟んだ両側に下方から上方に向かう一対の肉抜き部２４を有しており、それによりその部分で細幅部を形成すると共に、肉抜き部２４の両側には下方に向かって延びる、ホルダー２０が取り付け固定されたエアコンパネルのケース３に接触することなく浮いた状態にあるフリー脚部２５を有している（図４参照）。
【００４０】
また、スプリング４０は、一対の延長部４２の夫々の幅方向の下側端部４２ａが、ホルダー２０の本体部２１の一対の支持突起部２２の夫々に形成された切欠部２３によって下方から係止支持されると共に、一対の延長部４２の夫々の幅方向の上側端部４２ｂが、ホルダー２０の延板部３１から上方に延びる一対の上延部３４の夫々に設けられた支持突起部３５によって上方から押圧支持されている。
【００４１】
これにより、一対の延長部４２の夫々は、いずれの面もホルダー２０に接触しておらず、一対の延長部４２の夫々の端部に位置する一対の折曲部４３のみがホルダー２０の本体部２１のフリー脚部２５の外側面に接触している（図６参照）。
【００４２】
そのため、ディテント１６の凹部１６ａに対するスプリング４０の摺接突起部４１の打撃によってスプリング４０に発生した振動は、一対の延長部４２を通して吸収されることなく一対の折曲部４３の夫々に伝わり、折曲部４３の夫々における振動は該折曲部４３が接触した状態に保持された本体部２１のフリー脚部２５に伝達される。
【００４３】
このとき、本体部２１のフリー脚部２５は細幅部を経て浮いた状態にあるためスプリング４０の折曲部４３から伝達された振動は、吸収されることなく強調されて折曲部４３との間で振動音が発生する。
【００４４】
以上説明したように、ダイヤルスイッチを上述の構成とすることにより、スプリング４０の摺接突起部４１とディテント１６の凹部１６ａとの間で生じる打撃振動によるクリック感と、そのときに発生する打撃音及びスプリング４０の折曲部４３とホルダー２０のフリー脚部２５との間で生じる振動音とによって確実な操作感覚が得られ、ダイヤルスイッチの確実な操作に対して優れた効果を奏するものである。
【符号の説明】
【００４５】
１…  エアコンの操作パネル（エアコンパネル）
２…  ダイヤルスイッチ
３…  ケース
４…  ローターガイド
１０…  ローター
１１…  フランジ部
１２…  延設部
１３…  基台部
１５…  筒状部
１６…  ディテント
１６ａ…  凹部
１６ｂ…  凸部
１６ｃ…  底部
１６ｄ…  頂部
２０…  ホルダー
２１…  本体部
２２…  支持突起部
２３…  切欠部
２４…  肉抜き部
２５…  フリー脚部
３１…  延板部
３２…  係止脚部
３３…  係止爪
３４…  上延部
３５…  支持突起部
４０…  スプリング
４１…  摺接突出部
４１ａ…  先端部
４２…  延長部
４２ａ…  下側端部
４２ｂ…  上側端部
４３…  折曲部
５０…  台座部
【図１】
2019186124.tif 000003
【図２】
2019186124.tif 000004
【図３】
2019186124.tif 000005
【図４】
2019186124.tif 000006
【図５】
2019186124.tif 000007
【図６】
2019186124.tif 000008
【図７】
2019186124.tif 000009
【図８】
2019186124.tif 000010
【図９】
2019186124.tif 000011
【図１０】
2019186124.tif 000012